(57)【要約】      （修正有）【課題】排水性に優れたテントを提供する。【解決手段】被覆部材支持切妻構造体１ａは、雨水ＲＷを排水する被覆部材５の裏面を支持して被覆部材の屋根形状を切妻にする切妻三角部１０ａを備える被覆部材支持切妻構造体であって、切妻三角部は、上限位置を規定する棟木部１２と、下限位置を規定する軒桁部１４と、棟木部と軒桁部との間の傾斜を規定する垂木部１６と、切妻の底辺を規定する梁部１８と、を備える。【選択図】図１Ａ
0003234264.tif 000002
【実用新案登録請求の範囲】
【請求項１】
雨水を排水する被覆部材の裏面を支持して前記被覆部材の屋根形状を切妻にする切妻三角部を備える被覆部材支持切妻構造体であって、
前記切妻三角部は、上限位置を規定する棟木部と、下限位置を規定する軒桁部と、前記棟木部と軒桁部との間の傾斜を規定する垂木部と、前記切妻の底辺を規定する梁部と、を備える、
ことを特徴とする被覆部材支持切妻構造体。
【請求項２】
請求項１に記載の被覆部材支持切妻構造体であって、
前記切妻三角部は、平板状であり、前記梁部は、前記棟木部からの仮想下垂線と交差する位置に下方に開放した溝部を有する位置決め部を備え、
前記位置決め部は、外部に設置された梁パイプを前記溝部に嵌め込んで前記梁部に当接させて位置決めする、
ことを特徴とする被覆部材支持切妻構造体。
【請求項３】
請求項２に記載の被覆部材支持切妻構造体であって、
前記溝部および前記梁パイプは、前記梁パイプの垂直方向での略中央を水平方向に貫通する貫通ボルトで連結され、前記溝部は前記貫通ボルトが貫通する溝ボルト穴を備え、前記梁パイプは前記貫通ボルトが貫通する梁パイプボルト穴を備える、
ことを特徴とする被覆部材支持切妻構造体。
【請求項４】
請求項２または請求項３に記載の被覆部材支持切妻構造体であって、
前記梁パイプは、２つの分割梁パイプに分割してあり、前記分割梁パイプは相互に連結して前記棟木部の下方で前記切妻三角部の面の延長を想定した延長想定面に沿って相互に回転する連結回転部を備え、
前記連結回転部は、２つの前記分割梁パイプの水平方向で最も外側になる最外側部を貫通して連結する回転連結ピンが位置する回転パイプ穴を備える、
ことを特徴とする被覆部材支持切妻構造体。
【請求項５】
請求項４に記載の被覆部材支持切妻構造体であって、
前記分割梁パイプの長さ方向において、前記連結回転部の周囲で筒状に位置して前記分割梁パイプを直線状に固定する筒状直線固定部を備える、
ことを特徴とする被覆部材支持切妻構造体。
【請求項６】
請求項５に記載の被覆部材支持切妻構造体であって、
前記連結回転部および前記位置決め部は、共用化され、前記回転連結ピンは、前記貫通ボルトで代用され、前記回転パイプ穴は、前記梁パイプボルト穴として機能し、
前記筒状直線固定部は、前記溝部の内側に位置して前記貫通ボルトが貫通する共用穴を備える、
ことを特徴とする被覆部材支持切妻構造体。
【請求項７】
請求項１に記載の被覆部材支持切妻構造体であって、
前記切妻三角部は、前記棟木部からの仮想下垂線が前記梁部と直角に交差する位置で分割した２つの直角三角部を備え、２つの前記直角三角部は、前記仮想下垂線の位置を回転軸とする蝶番で互いに連結してある、
ことを特徴とする被覆部材支持切妻構造体。
【請求項８】
請求項７に記載の被覆部材支持切妻構造体であって、
いずれか一方の前記直角三角部の前記梁部は、前記仮想下垂線の側に、下方に開放した変位溝部を有する変位位置決め部を備え、
２つの前記直角三角部を単一の平板状にしたとき、前記変位位置決め部は、外部に設置された梁パイプを前記変位溝部に嵌め込んで前記梁部に当接させて位置決めする、
ことを特徴とする被覆部材支持切妻構造体。
【請求項９】
請求項８に記載の被覆部材支持切妻構造体であって、
前記変位溝部および前記梁パイプは、前記梁パイプの垂直方向での略中央を水平方向に貫通する貫通ボルトで連結され、前記変位溝部は前記貫通ボルトが貫通する溝ボルト穴を備え、前記梁パイプは前記貫通ボルトが貫通する梁パイプボルト穴を備える、
ことを特徴とする被覆部材支持切妻構造体。
【請求項１０】
請求項８または請求項９に記載の被覆部材支持切妻構造体であって、
前記梁パイプは、２つの分割梁パイプに分割してあり、前記分割梁パイプは相互に連結して前記棟木部の下方で前記切妻三角部の面の延長を想定した延長想定面に沿って相互に回転する連結回転部を備え、
前記連結回転部は、２つの前記分割梁パイプの水平方向で最も外側になる最外側部を貫通して連結する回転連結ピンが位置する回転パイプ穴を備える、
ことを特徴とする被覆部材支持切妻構造体。
【請求項１１】
請求項１０に記載の被覆部材支持切妻構造体であって、
前記分割梁パイプの長さ方向において、前記連結回転部の周囲で筒状に位置して前記分割梁パイプを直線状に固定する筒状直線固定部を備える、
ことを特徴とする被覆部材支持切妻構造体。
【請求項１２】
請求項１１に記載の被覆部材支持切妻構造体であって、
前記連結回転部および前記変位位置決め部は、共用化され、前記回転連結ピンは、前記貫通ボルトで代用され、前記回転パイプ穴は、前記梁パイプボルト穴として機能し、
前記筒状直線固定部は、前記変位溝部の内側に位置して前記貫通ボルトが貫通する共用穴を備える、
ことを特徴とする被覆部材支持切妻構造体。
【請求項１３】
請求項１に記載の被覆部材支持切妻構造体であって、
前記切妻三角部は、前記垂木部および前記梁部が前記棟木部および前記軒桁部を含めて棒状の枠体で構成され、
前記棟木部と前記梁部との間に垂直方向に位置する棒状の棟木支持部と、前記垂木部と前記梁部との間に前記棟木支持部と平行に位置する複数の棒状の垂木支持部とを備える、
ことを特徴とする被覆部材支持切妻構造体。
【請求項１４】
請求項１３に記載の被覆部材支持切妻構造体であって、
前記梁部は、棟木支持部の側に、下方に開放した枠体用溝部を有する枠体用位置決め部を備え、
前記枠体用位置決め部は、外部に設置された梁パイプを前記枠体用溝部に嵌め込んで前記梁部に当接させて位置決めする、
ことを特徴とする被覆部材支持切妻構造体。
【請求項１５】
請求項１４に記載の被覆部材支持切妻構造体であって、
前記枠体用溝部および前記梁パイプは、前記梁パイプの垂直方向での略中央を水平方向に貫通する貫通ボルトで連結され、前記枠体用溝部は前記貫通ボルトが貫通する溝ボルト穴を備え、前記梁パイプは前記貫通ボルトが貫通する梁パイプボルト穴を備える、
ことを特徴とする被覆部材支持切妻構造体。
【請求項１６】
請求項１４または請求項１５に記載の被覆部材支持切妻構造体であって、
前記梁パイプは、２つの分割梁パイプに分割してあり、前記分割梁パイプは相互に連結して前記棟木部の下方で前記切妻三角部の面の延長を想定した延長想定面に沿って相互に回転する連結回転部を備え、
前記連結回転部は、２つの前記分割梁パイプの水平方向で最も外側になる最外側部を貫通して連結する回転連結ピンが位置する回転パイプ穴を備える、
ことを特徴とする被覆部材支持切妻構造体。
【請求項１７】
請求項１６に記載の被覆部材支持切妻構造体であって、
前記分割梁パイプの長さ方向において、前記連結回転部の周囲で筒状に位置して前記分割梁パイプを直線状に固定する筒状直線固定部を備える、
ことを特徴とする被覆部材支持切妻構造体。
【請求項１８】
請求項１７に記載の被覆部材支持切妻構造体であって、
前記連結回転部および前記枠体用位置決め部は、共用化され、前記回転連結ピンは、前記貫通ボルトで代用され、前記回転パイプ穴は、前記梁パイプボルト穴として機能し、
前記筒状直線固定部は、前記枠体用溝部の内側に位置して前記貫通ボルトが貫通する共用穴を備える、
ことを特徴とする被覆部材支持切妻構造体。
【請求項１９】
請求項１３に記載の被覆部材支持切妻構造体であって、
前記梁部は、外部に設置される梁パイプと予め一体化されている、
ことを特徴とする被覆部材支持切妻構造体。
【請求項２０】
請求項１３に記載の被覆部材支持切妻構造体であって、
前記棟木支持部は、前記棟木部からの仮想下垂線が前記梁部と直角に交差する位置で分割した対となる２つの対棟木支持部を備え、
前記切妻三角部は、２つの前記対棟木支持部をそれぞれ含む２つの直角三角部を備え、
２つの前記直角三角部がそれぞれ有する前記対棟木支持部は、前記仮想下垂線の位置を回転軸とする蝶番で互いに連結してある、
ことを特徴とする被覆部材支持切妻構造体。
【請求項２１】
請求項２０に記載の被覆部材支持切妻構造体であって、
いずれか一方の前記直角三角部の梁部は、前記対棟木支持部の側に、下方に開放した枠体用溝部を有する枠体用位置決め部を備え、
２つの前記直角三角部を単一の平面状に配置したとき、前記枠体用位置決め部は、外部に設置された梁パイプを前記枠体用溝部に嵌め込んで前記梁部に当接させて位置決めする、
ことを特徴とする被覆部材支持切妻構造体。
【請求項２２】
請求項２１に記載の被覆部材支持切妻構造体であって、
前記枠体用溝部および前記梁パイプは、前記梁パイプの垂直方向での略中央を水平方向に貫通する貫通ボルトで連結され、前記枠体用溝部は前記貫通ボルトが貫通する溝ボルト穴を備え、前記梁パイプは前記貫通ボルトが貫通する梁パイプボルト穴を備える、
ことを特徴とする被覆部材支持切妻構造体。
【請求項２３】
請求項２１または請求項２２に記載の被覆部材支持切妻構造体であって、
前記梁パイプは、２つの分割梁パイプに分割してあり、前記分割梁パイプは相互に連結して前記棟木部の下方で前記切妻三角部の面の延長を想定した延長想定面に沿って相互に回転する連結回転部を備え、
前記連結回転部は、２つの前記分割梁パイプの水平方向で最も外側になる最外側部を貫通して連結する回転連結ピンが位置する回転パイプ穴を備える、
ことを特徴とする被覆部材支持切妻構造体。
【請求項２４】
請求項２３に記載の被覆部材支持切妻構造体であって、
前記分割梁パイプの長さ方向において、前記連結回転部の周囲で筒状に位置して前記分割梁パイプを直線状に固定する筒状直線固定部を備える、
ことを特徴とする被覆部材支持切妻構造体。
【請求項２５】
請求項２４に記載の被覆部材支持切妻構造体であって、
前記連結回転部および前記枠体用位置決め部は、共用化され、前記回転連結ピンは、前記貫通ボルトで代用され、前記回転パイプ穴は、前記梁パイプボルト穴として機能し、
前記筒状直線固定部は、前記枠体用溝部の内側に位置して前記貫通ボルトが貫通する共用穴を備える、
ことを特徴とする被覆部材支持切妻構造体。
【考案の詳細な説明】
【技術分野】
【０００１】
本考案は、雨水を排水する被覆部材の裏面を支持して被覆部材の屋根形状を切妻にする切妻三角部を備える被覆部材支持切妻構造体に関する。
【背景技術】
【０００２】
骨組みを折り畳み式にして屋根構造を形成するテントが知られている（特許文献１、特許文献２参照）。特許文献１、特許文献２は、いずれも折り畳み式の骨組みを用いたテント構造を開示している。
【先行技術文献】
【特許文献】
【０００３】
【特許文献１】実開平７−１０２９５号公報
【特許文献２】特表２００３−５１１５９３号公報
【考案の概要】
【考案が解決しようとする課題】
【０００４】
しかしながら、特許文献１、特許文献２に開示された技術は、構造の複雑さが認められ、利用性、利便性に課題が残り、使用時の負荷が大きいと思料される。
本考案は、簡単な構造を有する切妻形状を適用した被覆部材支持切妻構造体であって、排水性に優れたテントを提供することを目的とする。
【課題を解決するための手段】
【０００５】
本考案に係る被覆部材支持切妻構造体は、雨水を排水する被覆部材の裏面を支持して前記被覆部材の屋根形状を切妻にする切妻三角部を備える被覆部材支持切妻構造体であって、前記切妻三角部は、上限位置を規定する棟木部と、下限位置を規定する軒桁部と、前記棟木部と軒桁部との間の傾斜を規定する垂木部と、前記切妻の底辺を規定する梁部と、を備える、ことを特徴とする。
したがって、本考案に係る被覆部材支持切妻構造体は、被覆部材の表面（テントの屋根部分）が受ける雨水を棟木部から２つの傾斜（垂木部）に分けて分流させるので、雨水を効果的に排水して雨水に強いテント（被覆部材）を構成する。
本考案に係る被覆部材支持切妻構造体の一実施の形態においては、前記切妻三角部は、平板状であり、前記梁部は、前記棟木部からの仮想下垂線と交差する位置に下方に開放した溝部を有する位置決め部を備え、前記位置決め部は、外部に設置された梁パイプを前記溝部に嵌め込んで前記梁部に当接させて位置決めする、ことを特徴とする。
本考案に係る被覆部材支持切妻構造体の一実施の形態においては、前記溝部および前記梁パイプは、前記梁パイプの垂直方向での略中央を水平方向に貫通する貫通ボルトで連結され、前記溝部は前記貫通ボルトが貫通する溝ボルト穴を備え、前記梁パイプは前記貫通ボルトが貫通する梁パイプボルト穴を備える、
ことを特徴とする。
【０００６】
本考案に係る被覆部材支持切妻構造体の一実施の形態においては、前記梁パイプは、２つの分割梁パイプに分割してあり、前記分割梁パイプは相互に連結して前記棟木部の下方で前記切妻三角部の面の延長を想定した延長想定面に沿って相互に回転する連結回転部を備え、前記連結回転部は、２つの前記分割梁パイプの水平方向で最も外側になる最外側部を貫通して連結する回転連結ピンが位置する回転パイプ穴を備える、ことを特徴とする。
本考案に係る被覆部材支持切妻構造体の一実施の形態においては、前記分割梁パイプの長さ方向において、前記連結回転部の周囲で筒状に位置して前記分割梁パイプを直線状に固定する筒状直線固定部を備える、ことを特徴とする。
本考案に係る被覆部材支持切妻構造体の一実施の形態においては、前記連結回転部および前記位置決め部は、共用化され、前記回転連結ピンは、前記貫通ボルトで代用され、前記回転パイプ穴は、前記梁パイプボルト穴として機能し、前記筒状直線固定部は、前記溝部の内側に位置して前記貫通ボルトが貫通する共用穴を備える、ことを特徴とする。
【０００７】
本考案に係る被覆部材支持切妻構造体の一実施の形態においては、前記切妻三角部は、前記棟木部からの仮想下垂線が前記梁部と直角に交差する位置で分割した２つの直角三角部を備え、２つの前記直角三角部は、前記仮想下垂線の位置を回転軸とする蝶番で互いに連結してある、ことを特徴とする。
本考案に係る被覆部材支持切妻構造体の一実施の形態においては、いずれか一方の前記直角三角部の前記梁部は、前記仮想下垂線の側に、下方に開放した変位溝部を有する変位位置決め部を備え、２つの前記直角三角部を単一の平板状にしたとき、前記変位位置決め部は、外部に設置された梁パイプを前記変位溝部に嵌め込んで前記梁部に当接させて位置決めする、ことを特徴とする。
本考案に係る被覆部材支持切妻構造体の一実施の形態においては、前記変位溝部および前記梁パイプは、前記梁パイプの垂直方向での略中央を水平方向に貫通する貫通ボルトで連結され、前記変位溝部は前記貫通ボルトが貫通する溝ボルト穴を備え、前記梁パイプは前記貫通ボルトが貫通する梁パイプボルト穴を備える、ことを特徴とする。
【０００８】
本考案に係る被覆部材支持切妻構造体の一実施の形態においては、前記梁パイプは、２つの分割梁パイプに分割してあり、前記分割梁パイプは相互に連結して前記棟木部の下方で前記切妻三角部の面の延長を想定した延長想定面に沿って相互に回転する連結回転部を備え、前記連結回転部は、２つの前記分割梁パイプの水平方向で最も外側になる最外側部を貫通して連結する回転連結ピンが位置する回転パイプ穴を備える、ことを特徴とする。
本考案に係る被覆部材支持切妻構造体の一実施の形態においては、前記分割梁パイプの長さ方向において、前記連結回転部の周囲で筒状に位置して前記分割梁パイプを直線状に固定する筒状直線固定部を備える、ことを特徴とする。
本考案に係る被覆部材支持切妻構造体の一実施の形態においては、前記連結回転部および前記変位位置決め部は、共用化され、前記回転連結ピンは、前記貫通ボルトで代用され、前記回転パイプ穴は、前記梁パイプボルト穴として機能し、前記筒状直線固定部は、前記変位溝部の内側に位置して前記貫通ボルトが貫通する共用穴を備える、ことを特徴とする。
【０００９】
本考案に係る被覆部材支持切妻構造体の一実施の形態においては、前記切妻三角部は、前記垂木部および前記梁部が前記棟木部および前記軒桁部を含めて棒状の枠体で構成され、前記棟木部と前記梁部との間に垂直方向に位置する棒状の棟木支持部と、前記垂木部と前記梁部との間に前記棟木支持部と平行に位置する複数の棒状の垂木支持部とを備える、ことを特徴とする
本考案に係る被覆部材支持切妻構造体の一実施の形態においては、前記梁部は、棟木支持部の側に、下方に開放した枠体用溝部を有する枠体用位置決め部を備え、前記枠体用位置決め部は、外部に設置された梁パイプを前記枠体用溝部に嵌め込んで前記梁部に当接させて位置決めする、ことを特徴とする。
本考案に係る被覆部材支持切妻構造体の一実施の形態においては、前記枠体用溝部および前記梁パイプは、前記梁パイプの垂直方向での略中央を水平方向に貫通する貫通ボルトで連結され、前記枠体用溝部は前記貫通ボルトが貫通する溝ボルト穴を備え、前記梁パイプは前記貫通ボルトが貫通する梁パイプボルト穴を備える、ことを特徴とする。
【００１０】
本考案に係る被覆部材支持切妻構造体の一実施の形態においては、前記梁パイプは、２つの分割梁パイプに分割してあり、前記分割梁パイプは相互に連結して前記棟木部の下方で前記切妻三角部の面の延長を想定した延長想定面に沿って相互に回転する連結回転部を備え、前記連結回転部は、２つの前記分割梁パイプの水平方向で最も外側になる最外側部を貫通して連結する回転連結ピンが位置する回転パイプ穴を備える、ことを特徴とする。
本考案に係る被覆部材支持切妻構造体の一実施の形態においては、前記分割梁パイプの長さ方向において、前記連結回転部の周囲で筒状に位置して前記分割梁パイプを直線状に固定する筒状直線固定部を備える、ことを特徴とする。
本考案に係る被覆部材支持切妻構造体の一実施の形態においては、前記連結回転部および前記枠体用位置決め部は、共用化され、前記回転連結ピンは、前記貫通ボルトで代用され、前記回転パイプ穴は、前記梁パイプボルト穴として機能し、前記筒状直線固定部は、前記枠体用溝部の内側に位置して前記貫通ボルトが貫通する共用穴を備える、ことを特徴とする。
本考案に係る被覆部材支持切妻構造体の一実施の形態においては、前記梁部は、外部に設置される梁パイプと予め一体化されている、ことを特徴とする。
【００１１】
本考案に係る被覆部材支持切妻構造体の一実施の形態においては、前記棟木支持部は、前記棟木部からの仮想下垂線が前記梁部と直角に交差する位置で分割した対となる２つの対棟木支持部を備え、前記切妻三角部は、２つの前記対棟木支持部をそれぞれ含む２つの直角三角部を備え、２つの前記直角三角部がそれぞれ有する前記対棟木支持部は、前記仮想下垂線の位置を回転軸とする蝶番で互いに連結してある、ことを特徴とする。
本考案に係る被覆部材支持切妻構造体の一実施の形態においては、いずれか一方の前記直角三角部の梁部は、前記対棟木支持部の側に、下方に開放した枠体用溝部を有する枠体用位置決め部を備え、２つの前記直角三角部を単一の平面状に配置したとき、前記枠体用位置決め部は、外部に設置された梁パイプを前記枠体用溝部に嵌め込んで前記梁部に当接させて位置決めする、ことを特徴とする。
本考案に係る被覆部材支持切妻構造体の一実施の形態においては、前記枠体用溝部および前記梁パイプは、前記梁パイプの垂直方向での略中央を水平方向に貫通する貫通ボルトで連結され、前記枠体用溝部は前記貫通ボルトが貫通する溝ボルト穴を備え、前記梁パイプは前記貫通ボルトが貫通する梁パイプボルト穴を備える、ことを特徴とする。
【００１２】
本考案に係る被覆部材支持切妻構造体の一実施の形態においては、前記梁パイプは、２つの分割梁パイプに分割してあり、前記分割梁パイプは相互に連結して前記棟木部の下方で前記切妻三角部の面の延長を想定した延長想定面に沿って相互に回転する連結回転部を備え、前記連結回転部は、２つの前記分割梁パイプの水平方向で最も外側になる最外側部を貫通して連結する回転連結ピンが位置する回転パイプ穴を備える、ことを特徴とする。
本考案に係る被覆部材支持切妻構造体の一実施の形態においては、前記分割梁パイプの長さ方向において、前記連結回転部の周囲で筒状に位置して前記分割梁パイプを直線状に固定する筒状直線固定部を備える、ことを特徴とする。
本考案に係る被覆部材支持切妻構造体の一実施の形態においては、前記連結回転部および前記枠体用位置決め部は、共用化され、前記回転連結ピンは、前記貫通ボルトで代用され、前記回転パイプ穴は、前記梁パイプボルト穴として機能し、前記筒状直線固定部は、前記枠体用溝部の内側に位置して前記貫通ボルトが貫通する共用穴を備える、ことを特徴とする。
【考案の効果】
【００１３】
本考案に係る被覆部材支持切妻構造体は、被覆部材の表面（テントの屋根部分）が受ける雨水を棟木部から２つの傾斜（垂木部）に分けて分流させるので、雨水を効果的に排水して雨水に強いテント（被覆部材）を構成するという効果を奏する。
【図面の簡単な説明】
【００１４】
【図１Ａ】本考案の実施の形態１に係る被覆部材支持切妻構造体の主要部を模式的に示す主要部模式図である。
【図１Ｂ】図１Ａに示した被覆部材支持切妻構造体について、矢符号ＳＦ１Ｂの方向での断面状態を拡大して示す拡大断面図である。
【図２】図１Ａに示した被覆部材支持切妻構造体が備える梁パイプを変更して分割梁パイプとしたときの、分割梁パイプの概要構成を模式的に示す模式構成図である。
【図３】本考案の実施の形態２に係る被覆部材支持切妻構造体の主要部を模式的に示す主要部模式図である。
【図４】図３に示した被覆部材支持切妻構造体１ｂが備える変位位置決め部と梁パイプとの連結状態について、矢符号ＳＦ４の方向での断面状態を拡大して模式的に示す模式拡大断面図である。
【図５】図３に示した被覆部材支持切妻構造体が備える梁パイプを変更して分割梁パイプとしたときの分割梁パイプの概要構成を模式的に示す模式構成図である。
【図６】図５に示した分割梁パイプの連結回転部の直線状態を補強する筒状直線固定部の適用状態を模式的に想像した状態で示す模式想像配置図である。
【図７】図６に示した筒状直線固定部と被覆部材支持切妻構造体が備える変位位置決め部との配置状態を模式的に想像した状態で示す模式想像配置図である。
【図８】本考案の実施の形態３に係る被覆部材支持切妻構造体の主要部を模式的に示す主要部模式図である。
【図９】図８に示した被覆部材支持切妻構造体が備える梁パイプを変更して分割梁パイプとしたときの、分割梁パイプの概要構成を模式的に示す模式構成図である。
【図１０】本考案の実施の形態３に係る被覆部材支持切妻構造体の変形例を示す正面図である。
【図１１】本考案の実施の形態４に係る被覆部材支持切妻構造体の主要部を模式的に示す主要部模式図である。
【考案を実施するための形態】
【００１５】
以下、本考案に係る被覆部材支持切妻構造体１（実施の形態１：被覆部材支持切妻構造体１ａ。実施の形態２：被覆部材支持切妻構造体１ｂ。実施の形態３：被覆部材支持切妻構造体１ｃ。被覆部材支持切妻構造体１ｄ。実施の形態４：被覆部材支持切妻構造体１ｅ。）について、図面（図１Ａ〜図１１）を参照して説明する。
なお、被覆部材支持切妻構造体１ａ、被覆部材支持切妻構造体１ｂ、被覆部材支持切妻構造体１ｃ、被覆部材支持切妻構造体１ｄ、被覆部材支持切妻構造体１ｅを特に区別する必要がない場合には、単に被覆部材支持切妻構造体１と記載することがある。
また、実施の形態１〜実施の形態４の相互間において同様の部分には同一符号を付して適宜説明を省略することがある。
【００１６】
[実施の形態１]（図１Ａ〜図２）
図１Ａないし図２を参照して、本考案の実施の形態１に係る被覆部材支持切妻構造体１ａについて説明する。
図１Ａは、本考案の実施の形態１に係る被覆部材支持切妻構造体１ａの主要部を模式的に示す主要部模式図である。
図１Ｂは、図１Ａに示した被覆部材支持切妻構造体１ａについて、矢符号ＳＦ１Ｂの方向での断面状態を拡大して示す拡大断面図である。
本実施の形態に係る被覆部材支持切妻構造体１ａは、雨水ＲＷを排水する被覆部材５の裏面を支持して被覆部材５の屋根形状を切妻にする切妻三角部１０ａを備える被覆部材支持切妻構造体１ａであって、切妻三角部１０ａは、上限位置を規定する棟木部１２と、下限位置を規定する軒桁部１４と、棟木部１２と軒桁部１４との間の傾斜を規定する垂木部１６と、切妻の底辺を規定する梁部１８と、を備える。
被覆部材支持切妻構造体１ａ（切妻三角部１０ａ）は、棟木部１２から軒桁部１４にかけて傾斜して位置する垂木部１６が被覆部材５を下方から支えるので、確実な切妻を形成する。このため、被覆部材支持切妻構造体１ａは、被覆部材５の表面（テントの屋根部分）が受ける雨水ＲＷを棟木部１２から２つの傾斜（垂木部１６）に分けて分流させるので、雨水ＲＷを効果的に排水して雨水ＲＷに強いテント（被覆部材５）を構成する。なお、被覆部材５は、２点鎖線で想像的配置として示される。
【００１７】
被覆部材支持切妻構造体１ａにおいて、切妻三角部１０ａは、平板状であり、梁部１８は、棟木部１２からの仮想下垂線ＬＤと交差する位置に下方に開放した溝部２２を有する位置決め部２０を備え、位置決め部２０は、外部に設置された梁パイプ３０を溝部２２に嵌め込んで梁部１８に当接させて位置決めする。
被覆部材支持切妻構造体１ａは、棟木部１２からの仮想下垂線ＬＤが梁部１８と交差する位置にある位置決め部２０が梁部１８を下方から支える梁パイプ３０に位置決めするので、梁部１８は、当接する梁パイプ３０の強度に応じて強度を確保でき、併せて、切妻三角部１０ａと梁パイプ３０との間で垂直方向ＤＶの位置決めを確保して、切妻三角部１０ａを確実に維持しやすい。
位置決め部２０と梁パイプ３０との間の垂直方向ＤＶの位置決めは、位置決め部２０が備える溝部２２の底でされるので、梁部１８は、確実に梁パイプ３０に位置合わせされて垂直方向ＤＶでの強度を確保しやすい。なお、図１Ａでは、梁部１８に対して梁パイプ３０が、挿入経路ＩＰで挿入される直前の分離した状態が示され、溝部２２に装着される前の梁パイプ３０が模式的に示される。
【００１８】
被覆部材支持切妻構造体１ａにおいて、溝部２２および梁パイプ３０は、梁パイプ３０の垂直方向ＤＶでの略中央を水平方向ＤＨに貫通する貫通ボルト２４で連結され、溝部２２は貫通ボルト２４が貫通する溝ボルト穴２６を備え、梁パイプ３０は貫通ボルト２４が貫通する梁パイプボルト穴３２を備える。
被覆部材支持切妻構造体１ａにおいて、溝部２２は貫通ボルト２４が貫通する溝ボルト穴２６を備え、梁パイプ３０は貫通ボルト２４が貫通する梁パイプボルト穴３２を備えるので、貫通ボルト２４は溝ボルト穴２６および梁パイプボルト穴３２を貫通して位置決め部２０（溝部２２）および梁パイプ３０を連結する。つまり、貫通ボルト２４は、梁パイプ３０の垂直方向ＤＶでの略中央を水平方向ＤＨに貫通して、溝部２２（位置決め部２０）および梁パイプ３０を連結する。
梁パイプ３０は、例えば円管として示される。梁パイプボルト穴３２の垂直方向ＤＶでの位置は、梁パイプ３０が円管の場合、強度を確保する観点から最大直径となる水平位置が好ましい。なお、貫通ボルト２４は、ナット２５によって締結される。
【００１９】
図２は、図１Ａに示した被覆部材支持切妻構造体１ａが備える梁パイプ３０を変更して分割梁パイプ３４としたときの分割梁パイプ３４の概要構成を模式的に示す模式構成図である。
図２（Ａ）は、２つの分割梁パイプ３４が梁パイプ３０と同様に直線状を実現する状態を示す。図２（Ｂ）は、２つの分割梁パイプ３４の水平方向ＤＨでの状態を示し、延長想定面ＥＳに沿う方向での連結回転部３６の回転動作の可動性を示す。図２（Ｃ）は、一方の分割梁パイプ３４に対して他方の分割梁パイプ３４が回転方向ＤＲにおいて回転する状態を示す。
被覆部材支持切妻構造体１ａにおいて、梁パイプ３０は、２つの分割梁パイプ３４に分割してあり、分割梁パイプ３４は相互に連結して棟木部１２の下方で切妻三角部１０ａの面の延長を想定した延長想定面ＥＳに沿って相互に回転する連結回転部３６を備え、連結回転部３６は、２つの分割梁パイプ３４の水平方向ＤＨで最も外側になる最外側部を貫通して連結する回転連結ピン３８が位置する回転パイプ穴４０を備える。
被覆部材支持切妻構造体１ａにおいて、２つの分割梁パイプ３４は、それぞれを水平方向ＤＨの最も外側の最外側部を貫通して相互を連結する回転連結ピン３８が通る回転パイプ穴４０を備えるので、相互に回転する状態で連結される。このため、分割梁パイプ３４として連結回転部３６を中心に折り畳みやすく、収容時の全体形状を小型化しやすい。
２つの分割梁パイプ３４は、直線状に広げたとき、切妻三角部１０ａの面の延長を想定した延長想定面ＥＳに沿うので、梁パイプ３０に対する置き換えが容易になる。
なお、連結回転部３６（回転パイプ穴４０、回転連結ピン３８）は、位置決め部２０と異なる位置あるいは共通する位置（位置決め部２０と連結回転部３６とを共用化した場合。図２（Ｄ）参照）のいずれであっても良い。なお、回転連結ピン３８は、ピン止め３９によって締結される。
【００２０】
図２（Ｄ）は、連結回転部３６の周囲に筒状直線固定部５０が位置し、更に位置決め部２０（溝部２２）に配置された状態（共用化状態）での各部の配置状態を示す。
被覆部材支持切妻構造体１ａでは、分割梁パイプ３４の長さ方向において、連結回転部３６の周囲で筒状に位置して分割梁パイプ３４を直線状に固定する筒状直線固定部５０を備える。
この構成により、分割梁パイプ３４の長さ方向において、連結回転部３６の周囲を囲む筒状直線固定部５０を備えるので、分割梁パイプ３４は、梁パイプ３０に準じた直線状を確保して、強度を向上しやすい。
連結回転部３６の周囲を囲む筒状直線固定部５０は、分割梁パイプ３４を直線状に保持して、単独の梁パイプ３０に準じた機能を発揮しやすい。筒状直線固定部５０は、分割梁パイプ３４に対して管形状が相似形であることが好ましい。
【００２１】
被覆部材支持切妻構造体１ａにおいて、連結回転部３６および位置決め部２０は、共用化され、回転連結ピン３８は、貫通ボルト２４で代用され、回転パイプ穴４０は、梁パイプボルト穴３２として機能し、筒状直線固定部５０は、溝部２２の内側に位置して貫通ボルト２４が貫通する共用穴５２を備える。
連結回転部３６および位置決め部２０は、共用化されるので、回転連結ピン３８は、貫通ボルト２４で代用され、回転パイプ穴４０は、梁パイプボルト穴３２として機能する。筒状直線固定部５０は、分割梁パイプ３４と溝部２２の間に位置して貫通ボルト２４が貫通する共用穴５２を備えるので、貫通ボルト２４は、分割梁パイプ３４、筒状直線固定部５０、および溝部２２を貫通してこれらを一体化して機能させる。
つまり、貫通ボルト２４は、梁パイプボルト穴３２として機能する回転パイプ穴４０（分割梁パイプ３４）、共用穴５２（筒状直線固定部５０）、および溝ボルト穴２６（溝部２２）を通過して連結回転部３６および位置決め部２０を機能させる。
このため、被覆部材支持切妻構造体１ａは、部材を削減した状態で、機能としてはそれぞれが個別に位置する場合と同等の機能を実現する。
回転連結ピン３８は、貫通ボルト２４として溝部２２の外側へ延長された形態となるので、溝部２２の外側では、貫通ボルト２４として機能する。なお、貫通ボルト２４は、ナット２５で締結される。穴の位置は、内側（分割梁パイプ３４の側）から外側へ、梁パイプボルト穴３２（回転パイプ穴４０）、共用穴５２（筒状直線固定部５０）、溝ボルト穴２６が位置し、貫通ボルト２４（回転連結ピン３８）がこれらの穴を貫通する。
【００２２】
[実施の形態２]（図３〜図７）
図３ないし図７を参照して、本考案の実施の形態２に係る被覆部材支持切妻構造体１ｂについて説明する。実施の形態１における切妻三角部１０ａに対して、本実施の形態では、２つに分割された直角三角部１１ａとなっている点が主に異なる事項である。実施の形態１と同様の部分には同一符号を付して適宜説明を省略する。
図３は、本考案の実施の形態２に係る被覆部材支持切妻構造体１ｂの主要部を模式的に示す要部模式図である。図３（Ａ）は、直角三角部１１ａが切妻三角部１０ａとして位置するときの状態を示し、図３（Ｂ）は、一方の直角三角部１１ａが他方の直角三角部１１ａに対して回転方向ＤＲで回転する状態を示す。
【００２３】
本実施の形態に係る被覆部材支持切妻構造体１ｂでは、２つの直角三角部１１ａが単一面となったとき実施の形態１における直角三角部１１ａを構成する。
すなわち、被覆部材支持切妻構造体１ｂにおいて、切妻三角部１０ａは、棟木部１２からの仮想下垂線ＬＤが梁部１８と直角に交差する位置で分割した２つの直角三角部１１ａを備え、２つの直角三角部１１ａは、仮想下垂線ＬＤの位置を回転軸ＡＲとする蝶番６０で互いに連結してある。なお、蝶番６０は、上下２か所に位置して２つの直角三角部１１ａ相互間のバランスを取ることが好ましい。
被覆部材支持切妻構造体１ｂでは、直角三角部１１ａは、棟木部１２からの仮想下垂線ＬＤが梁部１８と直角に交差して分割した２つの直角三角部１１ａを備え、直角三角部１１ａの間は、仮想下垂線ＬＤの位置を回転軸ＡＲとする蝶番６０で互いに連結してあるので、収容時に、平板状の直角三角部１１ａは、回転方向に２つ折りにより平面視での収容面積を半減しやすくなる。
【００２４】
被覆部材支持切妻構造体１ｂにおいて、いずれか一方の直角三角部１１ａの梁部１８は、仮想下垂線ＬＤの側に、下方に開放された変位溝部６４を有する変位位置決め部６２を備え、２つの直角三角部１１ａを単一の平板状にしたとき、変位位置決め部６２は、外部に設置された梁パイプ６５を変位溝部６４に嵌め込んで梁部１８に当接させて位置決めする。なお、梁パイプ６５は、変位溝部６４に挿入経路ＩＰを介して嵌め込まれる。
２つの直角三角部１１ａの相互間は、蝶番６０により相互に回転できる。回転の範囲は、切妻三角部１０ａと同様の大きさから単一の直角三角部１１ａの大きさまでの間である。図３（Ｂ）では、一方の直角三角部１１ａの回転中の状態が示される。
また、変位位置決め部６２（変位溝部６４）は、溝ボルト穴６８を備え、梁パイプ６５は、溝ボルト穴６８に対応する位置に梁パイプボルト穴７０を備える（図４）。
【００２５】
被覆部材支持切妻構造体１ｂにおいて、切妻三角部１０ａが２つの直角三角部１１ａを備えるとき、いずれか一方の直角三角部１１ａの梁部１８は、仮想下垂線ＬＤの側に、変位位置決め部６２を備えるので、切妻三角部１０ａが直角三角部１１ａに分割してあっても２つの直角三角部１１ａを平面状に揃えることで実質上１枚の切妻三角部１０ａとして機能する。
したがって、被覆部材支持切妻構造体１ｂは、２つの直角三角部１１ａで構成されても、切妻三角部１０ａと同様の強度を維持しやすい。
変位位置決め部６２と梁パイプ６５との間の位置決めは、変位位置決め部６２が備える変位溝部６４の底でされるので、梁部１８は、確実に梁パイプ６５に位置合わせされて垂直方向ＤＶでの強度を確保しやすい。
変位位置決め部６２は、図面への記載の都合上、仮想下垂線ＬＤから離して記載するが、実際は仮想下垂線ＬＤ寄りに位置する。
【００２６】
図４は、図３に示した被覆部材支持切妻構造体１ｂが備える変位位置決め部６２と梁パイプ６５との連結状態について、矢符号ＳＦ４の方向での断面状態を拡大して模式的に示す模式拡大断面図である。
変位溝部６４および梁パイプ６５は、梁パイプ６５の垂直方向ＤＶでの略中央を水平方向ＤＨに貫通する貫通ボルト６６で連結され、変位溝部６４は貫通ボルト６６が貫通する溝ボルト穴６８を備え、梁パイプ６５は貫通ボルト６６が貫通する梁パイプボルト穴７０を備える。
被覆部材支持切妻構造体１ｂにおいて、変位位置決め部６２（変位溝部６４）は貫通ボルト６６が貫通する溝ボルト穴６８を備え、梁パイプ６５は貫通ボルト６６が貫通する梁パイプボルト穴７０を備えるので、貫通ボルト６６は溝ボルト穴６８および梁パイプボルト穴７０を貫通して変位溝部６４（変位位置決め部６２）および梁パイプ６５を連結する。
つまり、貫通ボルト６６は、梁パイプ６５の垂直方向ＤＶでの略中央を水平方向ＤＨに貫通して、変位溝部６４（変位位置決め部６２）および梁パイプ６５を連結する。梁パイプ６５は、例えば円管として示される。梁パイプボルト穴７０の垂直方向ＤＶでの位置は、梁パイプ６５が円管の場合、強度を確保の点から最大直径となる水平位置が好ましい。なお、貫通ボルト６６は、ナット６７によって締結される。
【００２７】
図５は、図３に示した被覆部材支持切妻構造体１ｂが備える梁パイプ６５を２つに分割した分割梁パイプ７２の概要構成を模式的に示す模式構成図である。なお、図５の概要は、実質上図２の（Ａ）〜（Ｃ）と同様であるので、図２（Ａ）〜（Ｃ）を併せて参照する。
被覆部材支持切妻構造体１ｂにおいて、梁パイプ６５は、２つの分割梁パイプ７２に分割してあり、分割梁パイプ７２は相互に連結して棟木部１２の下方で直角三角部１１ａの面の延長を想定した延長想定面ＥＳ（図２（Ｂ）参照）に沿って相互に回転する連結回転部７４を備え、連結回転部７４は、２つの分割梁パイプ７２の水平方向ＤＨで最も外側になる最外側部を貫通して連結する回転連結ピン７６が位置する回転パイプ穴８０を備える。なお、回転連結ピン７６は、ピン止め７８によって締結される。一方の分割梁パイプ７２に対する他方の回転状況を回転方向ＤＲで示す。
被覆部材支持切妻構造体１ｂにおいて、２つの分割梁パイプ７２は、それぞれを水平方向ＤＨの最も外側の最外側部を貫通して連結する回転連結ピン７６が通る回転パイプ穴８０を備えるので、相互に回転する状態で連結される。このため、分割梁パイプ７２として連結回転部７４を中心に折り曲げて畳みやすく、収容時の全体形状を小型化しやすい。
２つの分割梁パイプ７２は、直線状に広げたとき、直角三角部１１ａの面の延長を想定した延長想定面ＥＳに沿うので、梁パイプ６５に対する置き換えが容易になる。
なお、連結回転部７４（回転パイプ穴８０、回転連結ピン７６）は、変位位置決め部６２と異なる位置あるいは共通する位置のいずれであっても良い。他の実施の形態において同様である。
【００２８】
図６は、図５に示した分割梁パイプ７２の連結回転部７４の直線状態を補強する筒状直線固定部８２の適用状態を模式的に想像した状態で示す模式想像配置図である。
被覆部材支持切妻構造体１ｂは、分割梁パイプ７２の長さ方向において、連結回転部７４の周囲で筒状に位置して分割梁パイプ７２を直線状に固定する筒状直線固定部８２を備える。なお、機能、他の部材との関係は、実施の形態１（図２（Ｄ））に示した筒状直線固定部５０と同様であるので重複する説明は省略する。
分割梁パイプ７２の長さ方向において、連結回転部７４の周囲を囲む筒状直線固定部８２を備えるので、分割梁パイプ７２は、梁パイプ６５に準じた直線状を確保して、強度を向上しやすい。
連結回転部７４の周囲を囲む筒状直線固定部８２は、分割梁パイプ７２を直線状に保持して、単独の梁パイプ６５に準じた機能を発揮しやすい。筒状直線固定部８２は、分割梁パイプ７２に対して管形状が相似形であることが好ましい。
【００２９】
図７は、図６に示した筒状直線固定部８２と被覆部材支持切妻構造体１ｂが備える変位位置決め部６２との配置状態を模式的に想像した状態で示す模式想像配置図である。
連結回転部７４および変位位置決め部６２は、共用化され、回転連結ピン７６は、貫通ボルト６６で代用され、回転パイプ穴８０は、梁パイプボルト穴７０として機能し、筒状直線固定部８２は、変位溝部６４の内側に位置して貫通ボルト６６が貫通する共用穴８４を備える。
連結回転部７４および変位位置決め部６２は、共用化されるので、回転連結ピン７６は、貫通ボルト６６で代用され、回転パイプ穴８０は、梁パイプボルト穴７０として機能する。筒状直線固定部８２は、分割梁パイプ７２と変位溝部６４の間に位置して貫通ボルト６６が貫通する共用穴８４を備えるので、貫通ボルト６６は、分割梁パイプ７２、筒状直線固定部８２、および変位溝部６４を貫通してこれらを一体化して機能させる。
つまり、貫通ボルト６６は、梁パイプボルト穴７０として機能する回転パイプ穴８０（分割梁パイプ７２）、共用穴８４（筒状直線固定部８２）、および溝ボルト穴６８（変位溝部６４）を通過して連結回転部７４および変位位置決め部６２を機能させる。
このため、被覆部材支持切妻構造体１ｂは、部材を削減した状態で、機能としてはそれぞれが個別に位置する場合と同等の機能を実現する。
回転連結ピン７６は、貫通ボルト６６として変位溝部６４の外側へ延長された形態となるので、変位溝部６４の外側では、貫通ボルト６６として機能する。貫通ボルト６６はナット６７で締結される。穴の位置は、内側（分割梁パイプ７２の側）から外側へ、梁パイプボルト穴７０（回転パイプ穴８０）、共用穴８４（筒状直線固定部８２）、溝ボルト穴６８が位置し、貫通ボルト６６（回転連結ピン７６）がこれらの穴を貫通する。
【００３０】
[実施の形態３]（図８〜図１０）
図８ないし図１０を参照して、本考案の実施の形態３に係る被覆部材支持切妻構造体１ｃ、および被覆部材支持切妻構造体１ｄについて説明する。本実施の形態に係る被覆部材支持切妻構造体１ｃ、被覆部材支持切妻構造体１ｄは、実施の形態１、実施の形態２における切妻三角部１０ａ、直角三角部１１ａの適用された平板状の代わりに、枠体を適用している点（フレーム型）が主に異なる事項である。実施の形態１、実施の形態２と同様の部分には同一符号を付して適宜説明を省略する。
図８は、本考案の実施の形態３に係る被覆部材支持切妻構造体１ｃの主要部を模式的に示す主要部模式図である。
図８（Ａ）は、被覆部材支持切妻構造体１ｃが備える切妻三角部１０ｂの概要図、図８（Ｂ）は、切妻三角部１０ｂが備える枠体用位置決め部９４、および枠体用位置決め部９４が備える枠体用溝部９６に嵌め込まれる直前状態の梁パイプ１００の相関配置図、図８（Ｃ）は、図８（Ｂ）に示した矢符号ＳＦ８Ｃの方向での端面状態を拡大して示す拡大端面図である。
【００３１】
本実施の形態に係る被覆部材支持切妻構造体１ｃにおいて、切妻三角部１０ｂは、垂木部１６および梁部１８が棟木部１２および軒桁部１４を含めて棒状の枠体で構成され、棟木部１２と梁部１８との間に垂直方向ＤＶに位置する棒状の棟木支持部９０と、垂木部１６と梁部１８との間に棟木支持部９０と平行に位置する複数の棒状の垂木支持部９２とを備える。
被覆部材支持切妻構造体１ｃは、切妻三角部１０ｂを棒状の枠体で構成し、棟木部１２を棟木支持部９０で支持し、垂木部１６を垂木支持部９２で支持するので、平板状の切妻三角部１０ｂに比べて軽量化および強度向上を図りやすい。
棒状の枠体で構成することのメリットは、平板型（実施の形態１、実施の形態２）と同一機能、同一面積が得られた状態で、材料が占める面積を抑制し、枠体部分の従量のみに低減できるので、軽量化が図れる。
【００３２】
被覆部材支持切妻構造体１ｃにおいて、梁部１８は、棟木支持部９０の側に、下方に開放した枠体用溝部９６を有する枠体用位置決め部９４を備え、枠体用位置決め部９４は、外部に設置された梁パイプ１００を枠体用溝部９６に嵌め込んで梁部１８に当接させて位置決めする。
被覆部材支持切妻構造体１ｃは、枠体用溝部９６に嵌め込まれた梁パイプ１００が梁部１８に位置決めして当接するので梁部１８を下方から支えて位置決めできる。このため、梁部１８は、外部の梁パイプ１００の強度に応じて強度を確保でき、併せて、切妻三角部１０ｂと梁パイプ１００との間で垂直方向ＤＶの位置決めを確保して、切妻三角部１０ｂを確実に維持しやすい。
枠体用位置決め部９４は、梁部１８（枠体）を枠体用溝部９６に位置させることが好ましい。あるいは、枠体用位置決め部９４は、梁部１８と一体化されても良い。
なお、図８（Ｂ）では、梁部１８に対して梁パイプ１００が、挿入経路ＩＰで挿入される直前の分離した状態が示され、枠体用溝部９６に装着される前の梁パイプ１００が模式的に示される。
【００３３】
被覆部材支持切妻構造体１ｃにおいて、枠体用溝部９６および梁パイプ１００は、梁パイプ１００の垂直方向ＤＶでの略中央を水平方向ＤＨに貫通する貫通ボルト１０２で連結され、枠体用溝部９６は貫通ボルト１０２が貫通する溝ボルト穴１０６を備え、梁パイプ１００は貫通ボルト１０２が貫通する梁パイプボルト穴１０８を備える。
被覆部材支持切妻構造体１ｃにおいて、枠体用溝部９６は貫通ボルト１０２が貫通する溝ボルト穴１０６を備え、梁パイプ１００は貫通ボルト１０２が貫通する梁パイプボルト穴１０８を備えるので、貫通ボルト１０２は溝ボルト穴１０６および梁パイプボルト穴１０８を貫通して枠体用位置決め部９４（枠体用溝部９６）および梁パイプ１００を連結する。つまり、貫通ボルト１０２は、梁パイプ１００の垂直方向ＤＶでの略中央を水平方向ＤＨに貫通して、枠体用溝部９６（枠体用位置決め部９４）および梁パイプ１００を連結する。
梁パイプ１００、梁パイプボルト穴１０８、は実施の形態１に係る梁パイプ３０、梁パイプボルト穴３２と同様に機能する。また、貫通ボルト１０２は、ナット１０４によって締結される。
【００３４】
図９は、図８に示した被覆部材支持切妻構造体１ｃが備える梁パイプ１００を変更して分割梁パイプ１１２としたときの、分割梁パイプ１１２の概要構成を模式的に示す模式構成図である。
図９（Ａ）は、図８（Ｂ）に示した被覆部材支持切妻構造体１ｃが備える梁パイプ１００を２つに分割した分割梁パイプ１１２、分割梁パイプ１１２が有する連結回転部１１４と枠体用位置決め部９４との配置関係を示す模式構成図である。一方の分割梁パイプ１１２に対して他方の分割梁パイプ１１２が回転方向ＤＲで回転することを示し、梁パイプ１００のように直線状にした分割梁パイプ１１２は、挿入経路ＩＰに沿って枠体用位置決め部９４が有する枠体用溝部９６に挿入され、梁パイプ１００と同様に作用する。
図９（Ｂ）は、図９（Ａ）に示した分割梁パイプ１１２の連結回転部１１４の直線状態を補強する筒状直線固定部１２２の適用状態を模式的に想像した状態で示す模式想像配置図である。
【００３５】
被覆部材支持切妻構造体１ｃにおいて、梁パイプ１００は、２つの分割梁パイプ１１２に分割してあり、分割梁パイプ１１２は相互に連結して棟木部１２の下方で切妻三角部１０ｂの面の延長を想定した延長想定面ＥＳ（図２（Ｂ）参照）に沿って相互に回転する連結回転部１１４を備え、連結回転部１１４は、２つの分割梁パイプ１１２の水平方向ＤＨで最も外側になる最外側部を貫通して連結する回転連結ピン１１６が位置する回転パイプ穴１２０を備える。なお、回転連結ピン１１６は、ピン止め１１８によって締結される。
被覆部材支持切妻構造体１ｃにおいて、２つの分割梁パイプ１１２は、それぞれを水平方向ＤＨの最も外側の最外側部を貫通して相互を連結する回転連結ピン１１６が通る回転パイプ穴１２０を備えるので、相互に回転する状態で連結される。このため、分割梁パイプ１１２として連結回転部１１４を中心に折り畳みやすく、収容時の全体形状を小型化しやすい。
２つの分割梁パイプ１１２は、直線状に広げたとき、切妻三角部１０ｂの面の延長を想定した延長想定面ＥＳに沿うので、梁パイプ１００に対する置き換えが容易になる。
被覆部材支持切妻構造体１ｃは、分割梁パイプ１１２の長さ方向において、連結回転部１１４の周囲で筒状に位置して分割梁パイプ１１２を直線状に固定する筒状直線固定部１２２を備える。
分割梁パイプ１１２の長さ方向において、連結回転部１１４の周囲を囲む筒状直線固定部１２２を備えるので、分割梁パイプ１１２は、梁パイプ１００に準じた直線状を確保して、強度を向上しやすい。
【００３６】
図９（Ｃ）は、図９（Ｂ）に示した筒状直線固定部１２２と被覆部材支持切妻構造体１ｃが備える枠体用位置決め部９４との配置状態を想像した状態で示す模式想像配置図である。
被覆部材支持切妻構造体１ｃにおいて、連結回転部１１４および枠体用位置決め部９４は、共用化され、回転連結ピン１１６は、貫通ボルト１０２で代用され、回転パイプ穴１２０は、梁パイプボルト穴１０８として機能し、筒状直線固定部１２２は、枠体用溝部９６の内側に位置して貫通ボルト１０２が貫通する共用穴１２４を備える。
連結回転部１１４および枠体用位置決め部９４は、共用化されるので、回転連結ピン１１６は、貫通ボルト１０２で代用され、回転パイプ穴１２０は、梁パイプボルト穴１０８として機能する。筒状直線固定部１２２は、分割梁パイプ１１２と枠体用溝部９６の間に位置して貫通ボルト１０２が貫通する共用穴１２４を備えるので、貫通ボルト１０２は、分割梁パイプ１１２、筒状直線固定部１２２、および枠体用溝部９６を貫通してこれらを一体化して機能させる。
つまり、貫通ボルト１０２は、梁パイプボルト穴１０８として機能する回転パイプ穴１２０（分割梁パイプ１１２）、共用穴１２４（筒状直線固定部１２２）、および溝ボルト穴１０６（枠体用溝部９６）を通過して連結回転部１１４および枠体用位置決め部９４を機能させる。
このため、被覆部材支持切妻構造体１ｃは、部材を削減した状態で、機能としてはそれぞれが個別に位置する場合と同等の機能を実現する。
回転連結ピン１１６は、貫通ボルト１０２として枠体用溝部９６の外側へ延長された形態となるので、枠体用溝部９６の外側では、貫通ボルト１０２として機能する。貫通ボルト１０２は、ナット１０４で締結される。穴の位置は、内側（分割梁パイプ１１２の側）から外側へ、梁パイプボルト穴１０８（回転パイプ穴１２０）、共用穴１２４（筒状直線固定部１２２）、溝ボルト穴１０６が位置し、貫通ボルト１０２がこれらの穴を貫通する。
【００３７】
図１０は、本考案の実施の形態３に係る被覆部材支持切妻構造体１ｃの変形例（被覆部材支持切妻構造体１ｄ）を示す正面図である。
本実施の形態に係る被覆部材支持切妻構造体１ｄにおいて、切妻三角部１０ｂは、垂木部１６および梁部１８が棟木部１２および軒桁部１４を含めて棒状の枠体で構成され、棟木部１２と梁部１８との間に垂直方向に位置する棒状の棟木支持部９０と、垂木部１６と梁部１８との間に棟木支持部９０と平行に位置する複数の棒状の垂木支持部９２とを備える。
被覆部材支持切妻構造体１ｄは、切妻三角部１０ｂを棒状の枠体で構成し、棟木部１２を棟木支持部９０で支持し、垂木部１６を垂木支持部９２で支持するので、平板状の切妻三角部１０ａ（実施の形態１。図１Ａ）に比べて軽量化および強度向上を図りやすい。
被覆部材支持切妻構造体１ｄにおいて、梁部１８は、外部に設置される梁パイプ１０１と予め一体化されている。被覆部材支持切妻構造体１ｄは、梁部１８を外部に設置される梁パイプ１０１と一体であるので、設置の手間を簡略化しやすい。
【００３８】
[実施の形態４]（図１１、図８（Ｂ）（Ｃ）、図９）
図１１を参照して、本考案の実施の形態４に係る被覆部材支持切妻構造体１ｅについて説明する。実施の形態１ないし実施の形態３と同様の部分には同一符号を付して適宜説明を省略する。なお、実施の形態３と重複する部分については、図の重複を避けるため図８（Ｂ）（Ｃ）、図９をそのまま援用する。
図１１は、本考案の実施の形態４に係る被覆部材支持切妻構造体１ｅの主要部を模式的に示す主要部模式図である。
図１１（Ａ）は、被覆部材支持切妻構造体１ｅが備える直角三角部１１ｂの概要図、図１１（Ｂ）は、直角三角部１１ｂが備える枠体用位置決め部９４、および枠体用位置決め部９４が備える枠体用溝部９６に嵌め込まれる直前状態の梁パイプ１００の相関配置図である。
上記したとおり、枠体用位置決め部９４（図８）、枠体用溝部９６（図８）、梁パイプ１００（図８）、分割梁パイプ１１２（図９）、貫通ボルト１０２（図８）、連結回転部１１４（回転連結ピン１１６）（図９）、筒状直線固定部１２２（図９）などについては、実施の形態３と同様であるので、図８、図９を適宜参照（援用）して説明する。
【００３９】
本実施の形態に係る被覆部材支持切妻構造体１ｅにおいて、棟木支持部９０は、棟木部１２からの仮想下垂線ＬＤが梁部１８と直角に交差する位置で分割した対となる２つの対棟木支持部９１を備え、切妻三角部１０ｂは、２つの対棟木支持部９１をそれぞれ含む２つの直角三角部１１ｂを備え、２つの直角三角部１１ｂがそれぞれ有する対棟木支持部９１は、仮想下垂線ＬＤの位置を回転軸ＡＲとする蝶番６０で互いに連結してある。
被覆部材支持切妻構造体１ｅでは、棟木支持部９０は、２つの対棟木支持部９１に分割され、２つの対棟木支持部９１はそれぞれの直角三角部１１ｂに含まれ、相互に蝶番６０で連結されるので、切妻三角部１０ｂは２つの直角三角部１１ｂを備えた形態となる。このため、切妻三角部１０ｂは、収容時には対棟木支持部９１で回転方向ＤＲ（図３（Ｂ）参照）に２つ折りにされ、平面視での収容面積を直角三角部１１ｂとして半減しやすくなる。
【００４０】
被覆部材支持切妻構造体１ｅにおいて、いずれか一方の直角三角部１１ｂの梁部１８は、対棟木支持部９１の側に、下方に開放した枠体用溝部９６を有する枠体用位置決め部９４を備え、２つの直角三角部１１ｂを単一の平面状に配置したとき、枠体用位置決め部９４は、外部に設置された梁パイプ１００を枠体用溝部９６に嵌め込んで梁部１８に当接させて位置決めする（図８（Ｃ）参照）。
被覆部材支持切妻構造体１ｅは、枠体用溝部９６に嵌め込まれた梁パイプ１００が梁部１８に位置決めして当接するので梁部１８を下方から支えて位置決めできる。このため、梁部１８は、外部の梁パイプ１００の強度に応じて強度を確保でき、併せて、切妻三角部１０ｂと梁パイプ１００との間で垂直方向の位置決めを確保して、切妻三角部１０ｂを確実に維持しやすい。
枠体用位置決め部９４は、梁部１８（枠体）を枠体用溝部９６に位置させることが好ましい。あるいは、枠体用位置決め部９４は、梁部１８と一体化されても良い。
なお、図１１（Ｂ）では、梁部１８に対して梁パイプ１００が、挿入経路ＩＰで挿入される直前の分離した状態が示され、枠体用溝部９６に装着される前の梁パイプ１００が模式的に示される。枠体用位置決め部９４は、溝ボルト穴１０６を備え、梁パイプ１００は、梁パイプボルト穴１０８を備える（図８（Ｂ）（Ｃ）参照）。
【００４１】
被覆部材支持切妻構造体１ｅにおいて、枠体用溝部９６および梁パイプ１００は、梁パイプ１００の垂直方向での略中央を水平方向に貫通する貫通ボルト１０２で連結され、枠体用溝部９６は貫通ボルト１０２が貫通する溝ボルト穴を備え、梁パイプ１００は貫通ボルト１０２が貫通する梁パイプ１００ボルト穴を備える（図８（Ｃ）参照）。
被覆部材支持切妻構造体１ｅにおいて、枠体用溝部９６は貫通ボルト１０２が貫通する溝ボルト穴を備え、梁パイプ１００は貫通ボルト１０２が貫通する梁パイプ１００ボルト穴を備えるので、貫通ボルト１０２は溝ボルト穴および梁パイプ１００ボルト穴を貫通して枠体用位置決め部９４（枠体用溝部９６）および梁パイプ１００を連結する。つまり、貫通ボルト１０２は、梁パイプ１００の垂直方向での略中央を水平方向に貫通して、枠体用溝部９６（枠体用位置決め部９４）および梁パイプ１００を連結する。
【００４２】
被覆部材支持切妻構造体１ｅにおいて、梁パイプ１００は、２つの分割梁パイプ１１２に分割してあり、分割梁パイプ１１２は相互に連結して棟木部１２の下方で切妻三角部１０ｂの面の延長を想定した延長想定面ＥＳ（図２（Ｂ）参照）に沿って相互に回転する連結回転部１１４を備え、連結回転部１１４は、２つの分割梁パイプ１１２の水平方向で最も外側になる最外側部を貫通して連結する回転連結ピン１１６が位置する回転パイプ穴１２０を備える（図９、図２（Ｂ）参照）。
被覆部材支持切妻構造体１ｅにおいて、２つの分割梁パイプ１１２は、それぞれを水平方向の最も外側の最外側部を貫通して相互を連結する回転連結ピン１１６が通る回転パイプ穴１２０を備えるので、相互に回転する状態で連結される。このため、分割梁パイプ１１２として連結回転部１１４を中心に折り畳みやすく、収容時の全体形状を小型化しやすい。
２つの分割梁パイプ１１２は、広げたとき、切妻三角部１０ｂの面の延長を想定した延長想定面ＥＳに沿うので、梁パイプ１００に対する置き換えが容易になる。
【００４３】
被覆部材支持切妻構造体１ｅは、分割梁パイプ１１２の長さ方向において、連結回転部１１４の周囲で筒状に位置して分割梁パイプ１１２を直線状に固定する筒状直線固定部１２２を備える（図９、図２（Ｄ）、図６参照）。
分割梁パイプ１１２の長さ方向において、連結回転部１１４の周囲を囲む筒状直線固定部１２２を備えるので、分割梁パイプ１１２は、梁パイプ１００に準じた直線状を確保して、強度を向上しやすい。
被覆部材支持切妻構造体１ｅにおいて、連結回転部１１４および枠体用位置決め部９４は、共用化され、回転連結ピン１１６は、貫通ボルト１０２で代用され、回転パイプ穴１２０は、梁パイプボルト穴１０８として機能し、筒状直線固定部１２２は、枠体用溝部９６の内側に位置して貫通ボルト１０２が貫通する共用穴１２４を備える（図９（Ｃ）参照）。
連結回転部１１４および枠体用位置決め部９４は、共用化されるので、回転連結ピン１１６は、貫通ボルト１０２で代用され、回転パイプ穴１２０は、梁パイプボルト穴１０８として機能する。筒状直線固定部１２２は、分割梁パイプ１１２と枠体用溝部９６の間に位置して貫通ボルト１０２が貫通する共用穴１２４を備えるので、貫通ボルト１０２は、分割梁パイプ１１２、筒状直線固定部１２２、および枠体用溝部９６を貫通してこれらを一体化して機能させる。
つまり、貫通ボルト１０２は、梁パイプボルト穴１０８として機能する回転パイプ穴１２０（分割梁パイプ１１２）、共用穴１２４（筒状直線固定部１２２）、および溝ボルト穴（枠体用溝部９６）を通過して連結回転部１１４および枠体用位置決め部９４を機能させる。
このため、被覆部材支持切妻構造体１ｅは、部材を削減した状態で、機能としてはそれぞれが個別に位置する場合と同等の機能を実現する。
回転連結ピン１１６は、貫通ボルト１０２として枠体用溝部９６の外側へ延長された形態となるので、枠体用溝部９６の外側では、貫通ボルト１０２として機能する。貫通ボルト１０２は、ナット１０４で締結される。穴の位置は、内側（分割梁パイプ１１２の側）から外側へ、梁パイプボルト穴１０８（回転パイプ穴１２０）、共用穴１２４（筒状直線固定部１２２）、溝ボルト穴１０６が位置し、貫通ボルト１０２がこれらの穴を貫通する。
【産業上の利用可能性】
【００４４】
本考案による被覆部材支持切妻構造体は、テントの被覆部材が雨水を効果的に排水してテントの利便性と信頼性を向上できるので、産業上の利用性が大きい。
【符号の説明】
【００４５】
１、１ａ、１ｂ、１ｃ、１ｄ、１ｅ  被覆部材支持切妻構造体
５  被覆部材                                               １０ａ  切妻三角部
１０ｂ  切妻三角部                                     １１ａ  直角三角部
１１ｂ  直角三角部                                      １２  棟木部
１４  軒桁部                                                １６  垂木部
１８  梁部                                                    ２０  位置決め部
２２  溝部                                                   ２４  貫通ボルト
２５  ナット                                                ２６  溝ボルト穴
３０  梁パイプ                                             ３２  梁パイプボルト穴
３４  分割梁パイプ                                       ３６  連結回転部
３８  回転連結ピン                                       ３９  ピン止め
４０  回転パイプ穴                                       ５０  筒状直線固定部
５２  共用穴                                                ６０  蝶番
６２  変位位置決め部                                    ６４  変位溝部
６５  梁パイプ                                             ６６  貫通ボルト
６７  ナット                                                ６８  溝ボルト穴
７０  梁パイプボルト穴                                ７２  分割梁パイプ
７４  連結回転部                                          ７６  回転連結ピン
７８  ピン止め                                             ８０  回転パイプ穴
８２  筒状直線固定部                                    ８４  共用穴
９０  棟木支持部                                          ９１  対棟木支持部
９２  垂木支持部                                          ９４  枠体用位置決め部
９６  枠体用溝部                                          １００  梁パイプ
１０１  梁パイプ                                        １０２  貫通ボルト
１０４  ナット                                            １０６  溝ボルト穴
１０８  梁パイプボルト穴                            １１２  分割梁パイプ
１１４  連結回転部                                     １１６  回転連結ピン
１１８  ピン止め                                        １２０  回転パイプ穴
１２２  筒状直線固定部                               １２４  共用穴
ＡＲ  回転軸                                                ＤＨ  水平方向
ＤＲ  回転方向                                             ＤＶ  垂直方向
ＥＳ  延長想定面                                          ＩＰ  挿入経路
ＬＤ  仮想下垂線                                          ＲＷ  雨水
【図１Ａ】
0003234264.tif 000003
【図１Ｂ】
0003234264.tif 000004
【図２】
0003234264.tif 000005
【図３】
0003234264.tif 000006
【図４】
0003234264.tif 000007
【図５】
0003234264.tif 000008
【図６】
0003234264.tif 000009
【図７】
0003234264.tif 000010
【図８】
0003234264.tif 000011
【図９】
0003234264.tif 000012
【図１０】
0003234264.tif 000013
【図１１】
0003234264.tif 000014